(57)【要約】【課題】  ダストボックスの着脱のためにホース連結管を掃除機本体から分離する必要がなく掃除機の使い勝手を良くした掃除機のホース連結装置及びそれを具備する湿乾式真空掃除機を提供する。【解決手段】  本発明に係るホース連結装置は、掃除機本体に設けられるホースホルダーと、ホースホルダーに結合され、端部には吸込ホースが連結されるホース連結管と、ホースホルダーと掃除機本体に装着されるダストボックスの外周面との間で第１及び第２位置に移動自在に設けられた補助連結管、及び補助連結管を第１位置及び第２位置に移動させる作動ユニットとを含む。作動ユニットは掃除機本体に回動開閉自在に設けられるカバーの開閉動作に連動して作動しつつ前記補助連結管を第１位置及び第２位置に移動させる。ここで、第１位置は補助連結管がダストボックスの外周面から一定の間隔離隔された位置であり、第２位置は補助連結管がダストボックスの外周面と密着された位置である。補助連結管はカバークローズ時は第２位置に、カバーオープン時は第１位置に置かれる。【選択図】      図３
2005118530.tif 000002
【特許請求の範囲】
【請求項１】
掃除機本体、該掃除機本体に着脱自在なダストボックス及び該ダストボックスと吸込ブラシとの間の吸込流路を形成してくれるホースを備える掃除機のホース連結装置であって、
前記掃除機本体に設けられるホースホルダーと、
前記ホースホルダーに結合され、端部には吸込ホースが連結されるホース連結管と、
前記ホースホルダーと前記ダストボックスの外周面との間に第１及び第２位置に移動自在に設けられた補助連結管と、
該補助連結管を第１位置及び第２位置に移動させる作動ユニットを含み、
前記第１位置は補助連結管が前記ダストボックスの外周面と一定の間隔に離隔された位置であり、前記第２位置は補助連結管がダストボックスの外周面と密着された位置であることを特徴とする掃除機のホース連結装置。
【請求項２】
前記掃除機本体に回動開閉自在に設けられるカバーを含み、前記作動ユニットは前記カバーの開閉動作に連動して前記補助連結管を第１位置及び第２位置に移動させることを特徴とする請求項１に記載の掃除機のホース連結装置。
【請求項３】
前記作動ユニットは、
前記補助連結管の両側に設けられ、所定の傾斜面を有する第１傾斜突起部がそれぞれ形成された一対のガイド部材と、
前記第１傾斜突起部の傾斜面と対応する傾斜面を有する一対の第２傾斜突起部と、
前記第２傾斜突起部を支持し、前記ホースホルダーの両側に上下方向に貫通形成された一対のガイド穴に昇降自在に設けられる一対のガイドシャフトと、
前記補助連結管を第１位置向きに付勢する弾性部材を含み、
前記一対のガイドシャフトは前記カバーの開閉動作に連動して昇降することを特徴とする請求項２に記載の掃除機のホース連結装置。
【請求項４】
前記ガイドシャフトは、それぞれ前記カバーと接触する頭部及び該頭部から延びた胴部を備え、前記胴部に前記第２傾斜突起部が一体に形成されることを特徴とする請求項３に記載の掃除機のホース連結装置。
【請求項５】
前記弾性部材は、前記ガイド部材の第１傾斜突起部の反対側にそれぞれ設けられる一対の圧縮コイルバネで構成されることを特徴とする請求項３に記載の掃除機のホース連結装置。
【請求項６】
空気吸込口の内周面には係止孔を有する多数の係止部材が一定間隔に配され、前記ホース連結管の外周面には前記係止孔に係止される多数の係止爪が配され、前記ホース連結管が前記空気吸込口に分離自在に結合されることを特徴とする請求項１に記載の掃除機のホース連結装置。
【請求項７】
流入空気の流失を防止するために前記ホース連結管の空気吸込口の結合部位に介在される第１ガスケット及び前記ダストボックスの連通孔の周りに設けられる第２ガスケットを含むことを特徴とする請求項１に記載の掃除機のホース連結装置。
【請求項８】
吸込力を発生させる真空発生装置と、
該真空発生装置が下部一側に設けられ、空気吸込口及び排出口を有する集塵室が設けられた掃除機本体と、
該掃除機本体の集塵室に分離自在に装着され、前記空気吸込口と連通される連通孔を有するダストボックスと、
前記掃除機本体の上部に回動開閉自在に設けられるカバーと、
吸込ホースによって前記掃除機本体と連結され、被掃除面に沿って移動する吸込ブラシと、
前記吸込ホースを前記掃除機本体の吸込口に連結するホース連結装置と、を含み、
前記ホース連結装置は、前記カバーの開閉動作に連動して前記カバークローズ時は前記ダストボックスの外周面と密着され、カバーオープン時は前記ダストボックスと干渉されないよう一定間隔離隔されることによってダストボックスを容易に取出せることを特徴とする湿乾式真空掃除機。
【請求項９】
前記ホース連結装置は、
前記掃除機本体に設けられるホースホルダーと、
前記ホースホルダーに結合され、端部には前記吸込ホースが連結されるホース連結管と、
前記ホースホルダーと前記ダストボックスとの間で前記ダストボックスの外周面から一定の間隔に離隔される第１位置とダストボックスの外周面に密着される第２位置に移動自在な補助連結管と、
前記補助連結管を第１位置及び第２位置に移動させる作動ユニットと、を含むことを特徴とする請求項８に記載の湿乾式真空掃除機。
【請求項１０】
前記作動ユニットは、
前記補助連結管の両側に設けられ、所定の傾斜面を有する第１傾斜突起部がそれぞれ形成される一対のガイド部材と、
前記第１傾斜突起部の傾斜面と対応する傾斜面を有する一対の第２傾斜突起部と、
該第２傾斜突起部を支持し、前記ホースホルダーの両側に上下方向に貫通形成された一対のガイド穴に昇降自在に設けられる一対のガイドシャフトと、
前記補助連結管を第１位置に付勢する弾性部材を含み、
前記一対のガイドシャフトは、前記カバーの開閉動作に連動して昇降することを特徴とする請求項９に記載の湿乾式真空掃除機。
【請求項１１】
前記ガイドシャフトは、それぞれ前記カバーと接触する頭部及び該頭部から延びた胴部を備え、該胴部に前記第２傾斜突起部が一体に形成されることを特徴とする請求項１０に記載の湿乾式真空掃除機。
【請求項１２】
前記弾性部材は、前記ガイド部材の第１傾斜突起部の反対側にそれぞれ設けられる一対の圧縮コイルバネで構成されることを特徴とする請求項１０に記載の湿乾式真空掃除機。
【請求項１３】
前記空気吸込口の内周面には係止孔を有する多数の係止部材が一定間隔に配され、前記ホース連結管の外周面には前記係止孔に係止される多数の係止爪が配され、前記ホース連結管が前記空気吸込口に分離自在に結合されることを特徴とする請求項８に記載の湿乾式真空掃除機。
【請求項１４】
流入空気の流失を防止するために前記ホース連結管の空気吸込口の結合部位に介在される第１ガスケット及び前記ダストボックスの連通孔の周囲に設けられる第２ガスケットを含むことを特徴とする請求項８に記載の湿乾式真空掃除機。
【発明の詳細な説明】
【技術分野】
【０００１】
本発明は掃除機に係り、さらに具体的には吸込ホースを掃除機本体に連結するためのホース連結装置及びそれを具備する湿乾式真空掃除機に関する。
【背景技術】
【０００２】
公知の通り、湿乾式真空掃除機は乾燥したごみだけではなく水を含む生ごみも吸込んで濾すもので、吸込力を発生させるモータ部、水と埃及びごみを吸込むブラシ部、吸込された埃、水、ごみを空気と分離するフィルタ部及び該フィルタ部によって空気から分離された埃、水、ごみを貯める貯蔵部などを備えて構成される。
【０００３】
一方、ダストボックスに溜まった埃、水、ごみを容易に捨てられて掃除機の使い勝手を良くした湿乾式真空掃除機が本出願人によって韓国特許出願第２００２-５７７１３号として出願された(出願日:２００２年０９月２４日)。
【０００４】
前述した特許出願第２００２-５７７１３号によれば、湿乾式真空掃除機は吸込力を発生させる真空発生装置、真空発生装置が下部一側に設けられ空気吸込口及び排出口を有する集塵室が形成された掃除機本体、掃除機本体の集塵室に分離自在に装着されるダストボックス、掃除機本体の上部に回動開閉自在に設けられ、集塵室の排出口と連通される排気流路が構成されたカバー、吸込ホースによって掃除機本体と連結され被掃除面に沿って移動する吸込ブラシ及び吸込ホースを掃除機本体の空気吸込口に連結するホース連結装置を備える。
【０００５】
図１は前述したような湿乾式真空掃除機のホース連結装置１０を概略的に示した図であって、同図において符号１は掃除機本体、２はダストボックス、３はホース連結管、それから４はホースホルダーである。
【０００６】
図１に示した通り、掃除機本体１の一側には空気吸込口４ａを有するホースホルダー４が備えられる。また、ダストボックス２には空気吸込口４ａと対応する連通孔２ａが形成される。そしてホース連結管３は空気吸込口４ａと連通孔２ａを貫通してその端部がダストボックス２の内部に突出されるよう設けられる。図面において符号５及び６は流入空気の流失を防止するためのガスケットである。
【０００７】
掃除時被掃除面の埃やごみまたは水を含むごみは吸込ブラシ(図示せず)を通して空気と共に掃除機本体１の内部に流入される。空気は集塵室に装着されたダストボックス２を経由して排出口に排出され、ごみ及び水はダストボックス２に回収される。一方、ダストボックス２にごみが一杯になれば、ダストボックス２を掃除機本体１から分離して溜まったごみを捨てる。
【０００８】
しかし、前述したような湿乾式真空掃除機は、図１に示した通り、吸込ホースを掃除機本体１に連結するためのホース連結装置１０を構成するホース連結管３が空気吸込口４ａとダストボックス２の連通孔２ａを貫通して設置されているため、ダストボックス２に溜まったごみを捨てるためにダストボックス２を掃除機本体１から取出す時必ずホース連結管３を掃除機本体１から先に分離した後ダストボックス２を取出すべき使用上の不便さがあった。
【発明の開示】
【発明が解決しようとする課題】
【０００９】
本発明は前述したような点を考慮して案出されたもので、その目的はダストボックスの着脱のためにホース連結管を掃除機本体から分離する必要がなくて掃除機の使い勝手を良くした掃除機のホース連結装置及びそれを具備する湿乾式真空掃除機を提供することにある。
【課題を解決するための手段】
【００１０】
前述した目的を達成するための本発明に係る掃除機のホース連結装置は、掃除機本体に設けられるホースホルダーと、前記ホースホルダーに結合され、端部には吸込ホースが連結されるホース連結管と、前記ホースホルダーと掃除機本体に分離自在に装着されるダストボックスの外周面との間で第１及び第２位置に移動自在に設けられた補助連結管、及び補助連結管を第１位置及び第２位置に移動させる作動ユニットとを含む。
【００１１】
前記作動ユニットは掃除機本体の上部に回動開閉自在に設けられるカバーの開閉動作に連動して作動しつつ前記補助連結管を第１位置及び第２位置に移動させる。
【００１２】
ここで、前記第１位置は補助連結管がダストボックスの外周面から一定の間隔に離隔された位置であり、前記第２位置は補助連結管がダストボックスの外周面に密着された位置である。
【００１３】
前記作動ユニットは、前記補助連結管の両側に設けられ、所定の傾斜面を有する第１傾斜突起部がそれぞれ形成された一対のガイド部材と、前記第１傾斜突起部の傾斜面と対応する傾斜面を有する一対の第２傾斜突起部と、該第２傾斜突起部を支持し、前記ホースホルダーの両側に上下方向に貫通形成された一対のガイド穴に昇降自在に設けられる一対のガイドシャフト、及び前記補助連結管を第１位置向きに付勢する弾性部材とを含む。
【００１４】
前記ガイドシャフトは、前記カバーと接触する頭部及び該頭部から延びた胴部を備える。また、ガイドシャフトは前記胴部に前記第２傾斜突起部が一体に形成され構成されうる。
【００１５】
前記弾性部材は前記ガイド部材の第１傾斜突起部の反対側にそれぞれ設けられる一対の圧縮コイルバネで構成されうる。
【００１６】
また、空気吸込口の内周面には係止孔を有する多数の係止部材が一定間隔に配置され、前記ホース連結管の外周面には前記係止孔に係止される多数の係止爪が配置され、前記ホース連結管が前記空気吸込口に分離自在に結合されるよう構成することが望ましい。
【００１７】
そして、本発明に係る掃除機のホース連結装置は、流入空気の流失を防止するために前記ホース連結管の空気吸込口の結合部位に介在される第１ガスケット及び前記ダストボックスの連通孔の周囲に設けられる第２ガスケットを含むことが望ましい。
【００１８】
一方、本発明の目的を達成するための湿乾式真空掃除機は、吸込力を発生させる真空発生装置と、該真空発生装置が下部一側に設けられ、空気吸込口及び排出口を有する集塵室が設けられた掃除機本体と、該掃除機本体の集塵室に分離自在に装着され、前記空気吸込口と連通される連通孔を有するダストボックスと、前記掃除機本体の上部に回動開閉自在に設けられるカバーと、吸込ホースによって掃除機本体と連結され、被掃除面に沿って移動する吸込ブラシ、及び前記吸込ホースを前記掃除機本体の吸込口に連結するホース連結装置を含み、前記ホース連結装置は前記カバーの開閉動作に連動して前記カバークローズ時は前記ダストボックスの外周面と密着され、カバーオープン時は前記ダストボックスと干渉されないよう一定間隔離隔されることを特徴とする。
【００１９】
前記ホース連結装置は、前記掃除機本体に設けられるホースホルダーと、前記ホースホルダーに結合され、端部には前記吸込ホースが連結されるホース連結管と、前記ホースホルダーと前記ダストボックスとの間でダストボックスの外周面から一定の間隔に離隔される位置である第１位置とダストボックスの外周面に密着される位置である第２位置に移動自在な補助連結管、及び前記補助連結管を第１位置及び第２位置に移動させる作動ユニットとを含む。
【００２０】
前記作動ユニットは、前記補助連結管の両側に設けられ、所定の傾斜面を有する第１傾斜突起部がそれぞれ形成された一対のガイド部材と、前記第１傾斜突起部の傾斜面と対応する傾斜面を有する一対の第２傾斜突起部と、該第２傾斜突起部を支持し、前記ホースホルダーの両側に上下方向に貫通形成された一対のガイド穴に昇降自在に設けられる一対のガイドシャフト、及び前記補助連結管を第１位置向きに付勢する弾性部材とを含む。
【発明の効果】
【００２１】
以上述べたような本発明によれば、掃除機のカバーオープン時は補助連結管が移動されながらダストボックスの外周面と一定間隔に離隔されるため、ホース連結管を分離しなくてもダストボックスを掃除機本体から取出せる。
【００２２】
すなわち、ダストボックスを掃除機本体から取出すためにホース連結管を分離する必要がないため、掃除機の使い勝手を良くすることができる。
【発明を実施するための最良の形態】
【００２３】
以下、添付した図面に基づき本発明の望ましい実施例を詳述する。
【００２４】
図２は本発明に係る掃除機のホース連結装置１００を抜粋して示した分解斜視図であり、図３及び図４Ａ，図４Ｂはホース連結装置１００の作用を説明するために示した図である。図２に示した通り、本発明に係る掃除機のホース連結装置１００はホースホルダー１１０、ホース連結管１２０、補助連結管１３０及び作動ユニット１４０を含んで構成される。
【００２５】
ホースホルダー１１０は図２ないし図４Ａ，図４Ｂに示した通り、掃除機本体２００の上部一側に内蔵される。ホースホルダー１１０は掃除機本体２００と同じ曲率半径を有し、その略中央部には空気吸込口１１１が形成される。空気吸込口１１１の内周面には係止孔１１２ａを有する多数の係止部材１１２が一定間隔に配置される。また、ホースホルダー１１０の空気吸込口１１１の両側には一対のガイド穴１１３、１１３'が形成される。係止部材１１２及びガイド穴１１３、１１３'については後述する。
【００２６】
ホース連結管１２０はホースホルダー１１０の空気吸込口１１１に結合され、その端部には吸込ホース(図示せず)が結合される。前記吸込ホースは被掃除面に沿って移動する吸込ブラシと連結されることによって吸込ブラシと掃除機本体２００との間の吸込流路を構成する。ホース連結管１２０の外周面には空気吸込口１１１の内周面に形成された係止部材１１２の係止孔１１２ａに係止される多数の係止爪１２２が形成される。従って、ホース連結管１２０は係止部材１１２及び係止爪１２２の構造によって空気吸込口１１１に分離自在に結合される。また、ホース連結管１２０と空気吸込口１１１の連結部には流入空気の流失を防止するための第１ガスケット１５０が介在される。
【００２７】
補助連結管１３０はホースホルダー１１０とダストボックス３００の外周面との間で第１位置及び第２位置に移動自在に設けられる。ダストボックス３００の一側には空気吸込口１１１と連通される連通孔３１０が形成され、補助連結管１３０は空気吸込口１１１より大直径の大径部１３１と連通孔３１０と略同じ直径の小径部１３２を有する。また、補助連結管１３０が第１及び第２位置に移動自在になるようホースホルダー１１０の空気吸込口１１１の周囲には所定深さの環状の溝１１５が形成される。
【００２８】
ここで、前記第１位置は補助連結管１３０がホースホルダー１１０の空気吸込口１１１側に移動された状態(図３参照)であり、第２位置は補助連結管１３０がダストボックス３００の連通孔３１０側に移動された状態(図５参照)である。
【００２９】
作動ユニット１４０は補助連結管１３０を第１位置及び第２位置に移動させる。特に作動ユニット１４０は、本発明によって掃除機本体２００の上部に回動開閉自在に設けられるカバー４００の開閉動作に連動して作動しつつ補助連結管１３０を第１位置及び第２位置に移動させる。さらに具体的には作動ユニット１４０はカバー４００がクローズになると補助連結管１３０を第２位置、すなわち図５に示した通りその小径部１３２がダストボックス３００の連通孔３１０の周辺に密着される位置に移動させ、カバー４００がオープンになると補助連結管１３０を第１位置、すなわち図３に示したようにその大径部１３１が空気吸込口１１１側に移動された位置に移動させる。前記第１位置において補助連結管１３０はダストボックス３００の外周面と一定間隔離隔され、よってホース連結管１２０を分離しない状態でもダストボックス３００の着脱が可能になる。
【００３０】
前述したような作動ユニット１４０は図６Ａないし図６Ｂに示した通り、所定の傾斜面を有する第１傾斜突起部１４１がそれぞれ備えられた一対のガイド部材１４２、１４２'、第２傾斜突起部１４３、１４３'、ガイドシャフト１４４、１４４'及び弾性部材１４５、１４５'を備える。
【００３１】
一対のガイド部材１４２、１４２'は補助連結管１３０の両側に一体に形成され、略中央部に第１傾斜突起部１４１がそれぞれ形成され、端部にはガイド片１４２ａがそれぞれ形成される。
【００３２】
第２傾斜突起部１４３、１４３'は第１傾斜突起部１４１の傾斜面と対応する傾斜面を備えており、これら傾斜面同士が接触するようガイドシャフト１４４、１４４'に設けられる。一方、図示例では第２傾斜突起部１４３、１４３'がガイドシャフト１４４、１４４'と別個に形成され組立てられる構造で構成された例を示しているが、第２傾斜突起部１４３、１４３'はガイドシャフト１４４、１４４'に一体に形成されうる。
【００３３】
ガイドシャフト１４４、１４４'はホースホルダー１１０の両側に形成された一対のガイド穴１１３、１１３'に昇降自在に設けられる。このガイドシャフト１４４、１４４'は頭部１４４ａと頭部１４４ａから下方に延びた胴部１４４ｂとよりなる。
【００３４】
弾性部材１４５、１４５'は圧縮コイルバネで構成され、ホースホルダー１１０の第１傾斜突起部１４１の形成部位の反対面に形成されたバネ固定突起１４６（図４Ａ参照）に一端が支持され、その他端は掃除機本体の内側壁に支持され、前記補助連結管１３０を第１位置向きに付勢する。
【００３５】
図３及び図４Ａ，図４Ｂにおいて符号１６０は流入空気の流失を防止するためにダストボックス３００の連通孔３１０の周りに設けられる第２ガスケットである。
【００３６】
以下、図３ないし図６Ｂを参照して本発明に係るホース連結装置が採用された湿乾式真空掃除機及びホース連結装置の作用について説明する。
【００３７】
図３は本発明に係るホース連結装置が採用された湿乾式真空掃除機のカバーオープン状態を示した図である。
【００３８】
図３に示した通り、ホースホルダー１１０に昇降自在に設けられた一対のガイドシャフト１４４、１４４'は上部に突出されており、補助連結管１３０はその大径部１３１がホースホルダー１１０の溝１１５に挿入された位置、すなわち第１位置に移動されている。従って、補助連結管１３０の小径部１３２とダストボックス３００の外周壁とは一定間隔離隔されている。
【００３９】
このようなホース連結装置の作用は、図４Ａ及び図４Ｂに示したように、補助連結管１３０がその後方に備えられた弾性部材１４５の弾力によって図において左側に押され、よって第１傾斜突起部１４１及び第２傾斜突起部１４３の傾斜面によってガイドシャフト１４４が上側に移動することによってなされる。
【００４０】
前述したようなホース連結装置の作用によって図７に示したようにカバー４００をオープンにすると補助連結管１３０とダストボックス３００が干渉しなくなるので、補助連結管１３０を分離せずダストボックス３００を掃除機本体２００から取出せる。
【００４１】
一方、ダストボックス３００に溜まったごみを捨て、ダストボックス３００を掃除機本体２００に装着した後カバー４００をクローズにすれば、図５ないし図６Ｂに示した通り、カバー４００によってガイドシャフト１４４が降下するようになり、これにより補助連結管１３０が図において右側に押されながら補助連結管１３０の小径部１３２がダストボックス３００の連通孔３１０の周りに密着される第２位置に移動する。
【００４２】
すなわち、ガイドシャフト１４４が降下すれば、第２傾斜突起部１４３及び第１傾斜突起部１４１の傾斜面によって補助連結管１３０が弾性部材１４５の弾力に抵抗しながら図において右側に移動する。
【００４３】
再びカバー４００がオープンするとガイドシャフト１４４を押さえていた外力が除去されるため、図３のように補助連結管１３０が第１位置に移動される。
【００４４】
以上、本発明を本発明の原理を例示するための望ましい実施例について示しかつ説明したが、本発明はそのように示しかつ説明されたそのままの構成及び作用に限られない。むしろ特許請求の範囲の思想及び範疇を逸脱せず本発明に対する多数の変更及び修正が可能であることを当業者はよく理解できよう。従って、そのような全ての適切な変更及び修正と均等物も本発明の範囲に属すると見做されるべきである。
【産業上の利用可能性】
【００４５】
本発明は本体と分離されるダストボックスを有する真空掃除機を含むクリーナ及び各種集塵装置に使い勝手を良くするために用いられる。
【図面の簡単な説明】
【００４６】
【図１】一般の湿乾式真空掃除機のホース連結装置を概略的に示した図である。
【図２】本発明の一実施例による掃除機のホース連結装置を抜粋して示した分解斜視図である。
【図３】図２に示したホース連結装置が採用された湿乾式真空掃除機のカバーオープン状態を概略的に示した図である。
【図４Ａ】図３に示したカバーオープン状態でホース連結装置の作用を示した図である。
【図４Ｂ】図３に示したカバーオープン状態でホース連結装置の作用を示した図である。
【図５】図２に示したホース連結装置が採用された湿乾式真空掃除機のカバークローズ状態を概略的に示した図である。
【図６Ａ】図５に示したカバークローズ状態でホース連結装置の作用を示した図である。
【図６Ｂ】図５に示したカバークローズ状態でホース連結装置の作用を示した図である。
【図７】図３に示した湿乾式真空掃除機のカバーオープン状態でダストボックスを掃除機本体から取出すことを示した図である。
【符号の説明】
【００４７】
１００    ホース連結装置
１１０    ホースホルダー
１１１    空気吸込口
１１２    係止部材
１１２ａ  係止孔
１１３    ガイド穴
１１５    溝
１２０    ホース連結管
１２２    係止爪
１３０    補助連結管
１３１    大径部
１３２    小径部
１４０    作動ユニット
１４１、１４３  第１及び第２傾斜突起部
１４２    ガイド部材
１４２ａ  ガイド片
１４４    ガイドシャフト
１４４ａ  頭部
１４４ｂ  胴部
１４５    弾性部材
１５０、１６０  第１及び第２ガスケット
２００    掃除機本体
３００    ダストボックス
３１０    連通孔
４００    カバー
【図１】
2005118530.tif 000003
【図２】
2005118530.tif 000004
【図３】
2005118530.tif 000005
【図４Ａ】
2005118530.tif 000006
【図４Ｂ】
2005118530.tif 000007
【図５】
2005118530.tif 000008
【図６Ａ】
2005118530.tif 000009
【図６Ｂ】
2005118530.tif 000010
【図７】
2005118530.tif 000011